(57)【要約】【課題】表示面と表縁パネルの間に所定の大きさの間隙が形成されるように構成された表示装置において、潤滑剤や潤滑性に優れた材料を用いることなく、表縁パネルに力が加えられた場合の擦れ音の発生を防止する。【解決手段】表示パネルの周辺部をフレーム３によって保持し、このフレーム３の舌部２１に形成された円形孔２１と、ケース４の舌部４５に形成された楕円形孔２１、４６とに、ネジ１０を用いて緩く締めることにより、ケース４をフレーム３に仮固定する。その後、フレーム３の正面側から、表示領域に対応する窓を有する表縁パネルをケース４の側面プレート４２に固定する。窓の縁部と表示パネル表面との間の間隙が所定の大きさとなるように、フレーム３を矢印ａの方向に動かして調節した後、ケース４の切り欠き部分４７から工具を用いてネジ１０を締め付け、フレーム３とケース４の間を本固定する。【選択図】        図５
2004309663.tif 000002
【特許請求の範囲】
【請求項１】
第１面側に表示領域を有する表示パネルと、
前記表示パネルの周辺部分を保持するフレームと、
前記表示パネルの前記第１面と相対する第２面側に配設されて、前記フレームに取り付けられるケースと、
前記ケースを前記フレームに固定する第１ネジと、
前記表示領域に対応する窓を有し、前記表示パネルの前記第１面側の縁部を覆うように、前記ケースに取り付けられる表縁パネルとを備えた表示装置であって、
前記フレームには、前記第１ネジをその軸部が前記第１面に平行になるように保持する第１孔が形成されており、
前記ケースには、前記第１ネジをその軸部が前記第１面に平行になるように保持する第２孔が形成されており、
前記第１孔および前記第２孔の少なくとも一方は、前記第１面に平行な第２方向よりも前記第１面に垂直な第１方向に長い形状を有しており、これにより、前記第１ネジが完全に締結されていないときには、前記第１孔と前記第２孔の少なくとも一方において前記第１ネジが前記第１方向に移動可能であることにより、前記ケースに対する前記フレームの位置を前記第１方向に変化させることが可能であり、
前記第１ネジが完全に締結されているときには、前記表縁パネルは前記フレームおよび前記表示パネルと非接触状態にあり、前記表縁パネルの前記窓の縁部と前記表示パネルとの間に所定の大きさの間隙が形成されていることを特徴とする表示装置。
【請求項２】
第１面側に表示領域を有する表示パネルと、
前記表示パネルの周辺部分を保持するフレームと、
前記表示パネルの前記第１面と相対する第２面側に配設されて、前記フレームに取り付けられるケースと、
前記表示領域に対応する窓を有し、前記表示パネルの前記第１面側の縁部を覆うように、前記ケースに取り付けられる表縁パネルと
前記表縁パネルを前記ケースに固定する第２ネジとを備えた表示装置であって、
前記ケースには、前記第２ネジをその軸部が前記第１面に平行になるように保持する第３孔が形成されており、
前記表縁パネルには、前記第２ネジをその軸部が前記第１面に平行になるように保持する第４孔が形成されており、
前記第３孔および前記第４孔の少なくとも一方は、前記第１面に平行な第２方向よりも前記第１面に垂直な第１方向に長い形状を有しており、これにより、前記第２ネジが完全に締結されていないときには、前記第３孔と前記第４孔の少なくとも一方において前記第２ネジが前記第１方向に移動可能であることにより、前記ケースに対する前記表縁パネルの位置を前記第１方向に変化させることが可能であり、
前記第２ネジが完全に締結されているときには、前記表縁パネルは前記フレームおよび前記表示パネルと非接触状態にあり、前記表縁パネルの前記窓の縁部と前記表示パネルとの間に所定の大きさの間隙が形成されていることを特徴とする表示装置。
【請求項３】
第１面側に表示領域を有する表示パネルと、
前記表示パネルの周辺部分を保持するフレームと、
前記表示パネルの前記第１面と相対する第２面側に配設されて、前記フレームに取り付けられるケースと、
前記ケースを前記フレームに固定する第１ネジと、
前記表示領域に対応する窓を有し、前記表示パネルの前記第１面側の縁部を覆うように、前記ケースおよび前記フレームに取り付けられる表縁パネルと、
前記表縁パネルを前記フレームに固定する第３ネジとを備えた表示装置であって、
前記フレームには、前記第１ネジをその軸部が前記第１面に平行になるように保持する第１孔、および前記第３ネジをその軸部が前記第１面に平行になるように保持する第５孔が形成されており、
前記ケースには、前記第１ネジをその軸部が前記第１面に平行になるように保持する第２孔が形成されており、
前記表縁パネルには、前記第３ネジをその軸部が前記第１面に平行になるように保持する第６孔が形成されており、
前記第１孔および前記第２孔の少なくとも一方、および、前記第５孔および前記第６孔の少なくとも一方は、前記第１面に平行な第２方向よりも前記第１面に垂直な第１方向に長い形状を有しており、これにより、前記第１ネジおよび前記第３ネジの両方が完全に締結されていないときには、前記第１孔と前記第２孔の少なくとも一方において前記第１ネジが前記第１方向に移動可能であり、かつ、前記第５孔と前記第６孔の少なくとも一方において前記第３ネジが前記第１方向に移動可能であることにより、前記ケースおよび前記表縁パネルに対する前記フレームの位置を前記第１方向に変化させることが可能であり、
前記第１ネジおよび前記第３ネジの両方が完全に締結されているときには、前記表縁パネルと前記表示パネルとは非接触状態にあり、前記表縁パネルの前記窓の縁部と前記表示パネルとの間に所定の大きさの間隙が形成されていることを特徴とする表示装置。
【請求項４】
前記ケースには、前記第１面に垂直に突出部が形成されて、前記突出部に前記第１孔が形成されており、前記突出部の外側に、前記第１孔に対応した部分に切り欠きまたは孔が設けられた側面プレートを有していることを特徴とする請求項１または３記載の表示装置。
【請求項５】
前記表縁パネルは、前記窓の縁部に隣接して、前記フレームの前記第１面側との間に前記所定の大きさの間隙より小さい間隙を形成するように設けられた補強部を備えていることを特徴とする請求項１ないし４のいずれか１項に記載の表示装置。
【請求項６】
前記表示パネルは液晶層を有する液晶表示パネルであることを特徴とする請求項１ないし５のいずれか１項に記載の表示装置。
【請求項７】
前記表示パネルは、前記表示領域上にタッチパネルを備えていることを特徴とする請求項１ないし６のいずれか１項に記載の表示装置。
【請求項８】
第１面側に表示領域を有する表示パネルの周辺部分にフレームを固定する第１工程と、
前記第１工程の後に、ケースを前記表示パネルの前記第１面と相対する第２面側に配置し、前記ケースに対する前記フレームの位置を前記第１面に垂直な第１方向に変化させることが可能な第１仮固定状態に、前記ケースを前記フレームに仮固定する第２工程と、
前記第２工程の後に、前記表示領域に対応する窓を有する表縁パネルを、前記表示パネルの前記第１面側の縁部を覆うように前記ケースに取り付ける第３工程と、
前記第３工程の後に、前記フレームの前記ケースに対する位置を前記第１方向に変化させることにより、前記表縁パネルの前記窓の縁部と前記表示パネルとの間に、所定の大きさの間隙を形成するように調節する第４工程と、
前記第４工程の後に、前記第４工程により調節された状態が維持されるように、前記ケースを前記フレームに固定する第５工程とを備えた表示装置の製造方法。
【請求項９】
前記フレームには第１孔が形成されており、前記ケースには第２孔が形成されており、前記第１孔および前記第２孔の少なくとも一方は、前記第１面に平行な第２方向よりも前記第１方向に長い形状を有しており、
前記第２工程においては、第１ネジを、その軸部が前記第１面に平行になるように前記第１孔および前記第２孔に配置し、前記第１ネジにより前記ケースを前記フレームに所定範囲の強度で固定することにより、前記第１ネジが前記第１孔と前記第２孔の少なくとも一方において前記第１方向に移動することが可能な状態を前記第１仮固定状態として形成し、
前記第５工程においては、前記第１ネジを締め付けることにより、前記ケースを前記フレームに固定することを特徴とする請求項８記載の表示装置の製造方法。
【請求項１０】
第１面側に表示領域を有する表示パネルの周辺部分にフレームを固定する第１工程と、
前記第１工程の後に、ケースを前記表示パネルの前記第１面と相対する第２面側に配置し、前記ケースを前記フレーム固定する第２工程と、
前記第２工程の後に、前記表示領域に対応する窓を有する表縁パネルを、前記表示パネルの前記第１面側の縁部を覆うように配置し、前記ケースに対する前記表縁パネルの位置を前記第１面に垂直な第１方向に変化させることが可能な第２仮固定状態に、前記表縁パネルを前記ケースに仮固定する第３工程と、
前記第３工程の後に、前記表縁パネルの前記ケースに対する位置を前記第１方向に変化させることにより、前記表縁パネルの前記窓の縁部と前記表示パネルとの間に、所定の大きさの間隙を形成するように調節する第４工程と、
前記第４工程の後に、前記第４工程により調節された状態が維持されるように、前記表縁パネルを前記ケースに固定する第５工程とを備えた表示装置の製造方法。
【請求項１１】
前記ケースには第３孔が形成されており、前記表縁パネルには第４孔が形成されており、前記第３孔および前記第４孔の少なくとも一方は、前記第１面に平行な第２方向よりも前記第１方向に長い形状を有しており、
前記第３工程においては、第２ネジを、その軸部が前記第１面に平行になるように前記第３孔および前記第４孔に配置し、前記第２ネジにより前記表縁パネルを前記ケースに所定範囲の強度で固定することにより、前記第２ネジが前記第３孔と前記第４孔の少なくとも一方において前記第１方向に移動することが可能な状態を前記第２仮固定状態として形成し、
前記第５工程においては、前記第２ネジを締め付けることにより、前記表縁パネルを前記ケースに固定することを特徴とする請求項１０記載の表示装置の製造方法。
【請求項１２】
前記第５工程が完了した後には、前記表縁パネルは前記フレームおよび前記表示パネルと非接触状態にあるように構成されていることを特徴とする請求項８ないし１１のいずれか１項に記載の表示装置の製造方法。
【請求項１３】
前記第３工程において、前記ケースおよび前記表縁パネルに対する前記フレームの位置を前記第１方向に変化させることが可能な第３仮固定状態に、前記表縁パネルを前記フレームに仮固定し、
前記第５工程において、前記第４工程において調節された状態が維持されるように、前記表縁パネルを前記フレームに固定し、
前記第５工程が完了した後には、前記表縁パネルは前記表示パネルと非接触状態にあるように構成されていることを特徴とする請求項８または９記載の表示装置の製造方法。
【請求項１４】
前記フレームには第５孔が形成されており、前記表縁パネルには第６孔が形成されており、前記第５孔および前記第６孔の少なくとも一方は、前記第１面に平行な第２方向よりも前記第１方向に長い形状を有しており、
前記第３工程においては、第３ネジを、その軸部が前記第１面に平行になるように第５孔および第６孔に配置し、前記第３ネジにより前記ケースを前記フレームに所定範囲の強度で固定することにより、前記第１ネジが前記第１孔および前記第２孔の少なくとも一方において前記第１方向に移動することが可能であり、かつ、前記第３ネジが前記第５孔と前記第６孔の少なくとも一方において前記第１方向に移動することが可能な状態を前記第３仮固定状態として形成し、
前記第５工程においては、前記第３ネジを締め付けることにより、前記表縁パネルを前記フレームに固定することを特徴とする請求項１３記載の表示装置の製造方法。
【請求項１５】
前記第４工程においては、前記表縁パネルの前記窓の縁部と前記表示パネルとの間に前記所定の大きさスペーサを配置して、前記表縁パネルの前記窓の縁部と前記表示パネルとにより前記スペーサが挟まれる状態になるように、前記フレームを前記第１方向に移動させ、その後、前記スペーサを抜き取ることにより、前記表縁パネルの前記窓の縁部と前記表示パネルとの間に前記所定の大きさの間隙を形成することを特徴とする請求項８ないし１４のいずれか１項に記載の表示装置の製造方法。
【請求項１６】
前記第４工程においては、前記表縁パネルの前記窓の縁部と前記表示パネルとの間の間隙を光学的に測定して、この間隙が前記所定の大きさとなるところまで前記フレームを前記第１方向に移動させることにより、前記表縁パネルの前記窓の縁部と前記表示パネルとの間に前記所定の大きさの間隙を形成することを特徴とする請求項８ないし１４のいずれか１項に記載の表示装置の製造方法。
【発明の詳細な説明】
【０００１】
【発明の属する技術分野】
本発明は、表示装置およびその製造方法に関するものである。
【０００２】
【従来の技術】
従来より、パーソナルコンピュータやカーナビゲーションシステムなどのディスプレイとして、液晶表示装置などの表示装置が用いられている。このような液晶表示装置においては、その表側において表示領域を取り囲むように樹脂製の表縁パネルが配設されており、この上に例えば操作スイッチなどが設けられている。表縁パネルが液晶表示パネルに接触するように構成されていると、波打ち現象などの表示不良を発生する恐れがあるため、これを防止するために、表縁パネルと液晶表示パネルの間には間隙が形成されており、また、このような間隙は、見映えなどの観点から、所定の大きさで均一に形成されている。
【０００３】
液晶表示装置以外の表示装置においても、例えば図８（ａ）および（ｂ）に示すように、表示パネル９０の表示領域上に入力装置として抵抗膜式のタッチパネル９１を備える場合などには、表縁パネル９２がタッチパネル９１に接触していると、これがタッチ操作として検出されてしまうため、表縁パネル９２がタッチパネル９１に接触しないように構成する必要がある。そこで、図８（ｂ）に示すように、表縁パネル９２にリブ９３を設けて、このリブ９３を、表示パネル９０およびタッチパネル９１を一体に保持しているフレーム９４に押し当てることにより、タッチパネル９１と表縁パネル９２の間に所定の大きさの間隙を形成するようにしていた。
【０００４】
【発明が解決しようとする課題】
しかしながら、上記従来技術におけるように、リブ９３がフレーム９４に当たるように構成されていると、例えば表縁パネル９２上のスイッチをユーザが操作するなどして、表縁パネル９２に力が加えられると、これによってリブ９３とフレーム９４との間が擦れて、擦れ音が発生する。そこで、このような擦れ音の発生を防止するために、リブ９３とフレーム９４との間の接触面に潤滑剤を用いたり、フレーム９４を潤滑性に優れた材料で製造するなどしていた。
【０００５】
本発明は、上記点に鑑みなされたものであり、表示面と表縁パネルの間に所定の大きさの間隙が形成されるように構成された表示装置において、潤滑剤や潤滑性に優れた材料を用いることなく、表縁パネルに力が加えられた場合の擦れ音の発生を防止することを目的としている。
【０００６】
【課題を解決するための手段】
上記課題を解決するため、請求項１記載の表示装置は、第１面側に表示領域を有する表示パネルと、表示パネルの周辺部分を保持するフレームと、表示パネルの第１面と相対する第２面側に配設されてフレームに取り付けられるケースと、ケースをフレームに固定する第１ネジと、表示領域に対応する窓を有し、表示パネルの第１面側の縁部を覆うように、ケースに取り付けられる表縁パネルとを備えた表示装置であって、フレームには第１ネジをその軸部が表示パネルの第１面に平行になるように保持する第１孔が形成されており、ケースには第１ネジをその軸部が表示パネルの第１面に平行になるように保持する第２孔が形成されており、第１孔および第２孔の少なくとも一方は、表示パネルの第１面に平行な第２方向よりも垂直な第１方向に長い形状を有しており、これにより、第１ネジが完全に締結されていないときには、第１孔と第２孔の少なくとも一方において第１ネジが第１方向に移動可能であることにより、ケースに対するフレームの位置を第１方向に変化させることが可能であり、第１ネジが完全に締結されているときには、表縁パネルはフレームおよび表示パネルと非接触状態にあり、表縁パネルの窓の縁部と表示パネルとの間に所定の大きさの間隙が形成されていることを特徴としている。
【０００７】
このような構成によると、表縁パネルは、フレームおよび表示パネルとは非接触状態にあるため、表縁パネルに力が加えられても擦れ音が発生しない。このようにして、潤滑剤や潤滑性に優れた材料を用いることなく、表縁パネルに力が加えられた場合でも擦れ音が発生しないように、表示パネルと表縁パネルの間に所定の大きさの間隙が形成された表示装置を構成することができる。
【０００８】
請求項２記載の表示装置は、第１面側に表示領域を有する表示パネルと、表示パネルの周辺部分を保持するフレームと、表示パネルの第１面と相対する第２面側に配設されてフレームに取り付けられるケースと、表示領域に対応する窓を有し、表示パネルの第１面側の縁部を覆うように、ケースに取り付けられる表縁パネルと、この表縁パネルをケースに固定する第２ネジとを備えた表示装置であって、ケースには第２ネジをその軸部が表示パネルの第１面に平行になるように保持する第３孔が形成されており、表縁パネルには第２ネジをその軸部が表示パネルの第１面に平行になるように保持する第４孔が形成されており、第３孔および第４孔の少なくとも一方は、表示パネルの第１面に平行な第２方向よりも垂直な第１方向に長い形状を有しており、これにより、第２ネジが完全に締結されていないときには、第３孔と第４孔の少なくとも一方において第２ネジが第１方向に移動可能であることにより、ケースに対する表縁パネルの位置を第１方向に変化させることが可能であり、第２ネジが完全に締結されているときには、表縁パネルはフレームおよび表示パネルと非接触状態にあり、表縁パネルの窓の縁部と表示パネルとの間に所定の大きさの間隙が形成されていることを特徴としている。
【０００９】
このような構成によっても、表縁パネルに力が加えられた場合に擦れ音が発生しないように、表示パネルと表縁パネルの間に所定の大きさの間隙を形成することができる。
【００１０】
請求項３記載の表示装置は、第１面側に表示領域を有する表示パネルと、表示パネルの周辺部分を保持するフレームと、表示パネルの第１面と相対する第２面側に配設されてフレームに取り付けられるケースと、ケースをフレームに固定する第１ネジと、表示領域に対応する窓を有し、表示パネルの第１面側の縁部を覆うように、ケースおよびフレームに取り付けられる表縁パネルと、表縁パネルをフレームに固定する第３ネジとを備えた表示装置であって、フレームには第１ネジをその軸部が表示パネルの第１面に平行になるように保持する第１孔、および第３ネジをその軸部が表示パネルの第１面に平行になるように保持する第５孔が形成されており、ケースには第１ネジをその軸部が表示パネルの第１面に平行になるように保持する第２孔が形成されており、表縁パネルには第３ネジをその軸部が表示パネルの第１面に平行になるように保持する第６孔が形成されており、第１孔および第２孔の少なくとも一方、および第５孔および第６孔の少なくとも一方は、表示パネルの第１面に平行な第２方向よりも垂直な第１方向に長い形状を有しており、これにより、第１ネジおよび第３ネジの両方が完全に締結されていないときには、第１孔と第２孔の少なくとも一方において第１ネジが第１方向に移動可能であり、かつ、第５孔と第６孔の少なくとも一方において第３ネジが第１方向に移動可能あることにより、ケースおよび表縁パネルに対するフレームの位置を第１方向に変化させることが可能であり、第１ネジおよび第３ネジの両方が完全に締結されているときには、表縁パネルは表示パネルとは非接触状態にあり、表縁パネルの窓の縁部と表示パネルとの間に所定の大きさの間隙が形成されていることを特徴としている。
【００１１】
このような構成によると、表縁パネルは、フレームには固定されており、表示パネルとは非接触状態にあるため、表縁パネルに力が加えられても擦れ音が発生しない。このようにして、潤滑剤や潤滑性に優れた材料を用いることなく、表縁パネルに力が加えられた場合でも擦れ音が発生しないように、表示パネルと表縁パネルの間に所定の大きさの間隙が形成された表示装置を構成することができる。
【００１２】
請求項１または３記載の表示装置において、請求項４記載のように、ケースが、フレーム取付け部分として突出部を有しており、さらにその外側に、例えば表縁パネルを取り付けるためなどに、側面プレートを有している場合は、この側面プレートには、突出部の第１孔が形成されている部分に対応して、切り欠きまたは孔が設けられているとよい。このような切り欠きや孔が設けられていると、ここから工具を用いて、第１孔および第２孔に保持される第１ネジを締め付けて、ケースとフレームの間の仮固定および本固定を行うことができる。
【００１３】
表縁パネルは、請求項５記載のように、窓の縁部に隣接して補強部を備えているとよく、このような補強部を、窓の縁部と表示パネルとの間の間隙より小さい間隙をフレームとの間に形成するように設けると、表縁パネルに力が加えられた場合でも、窓の縁部が表示パネルに接触することを確実に防ぐことができる。
【００１４】
また、表示パネルは、請求項６記載のように、液晶層を有する液晶表示パネルであるか、あるいは請求項７記載のように、表示領域上にタッチパネルを備えたものであるとよい。液晶表示パネルの場合は、上記のように、表縁パネルが表示パネルに接触するように構成されていると、波打ち現象などの表示不良を発生する恐れがあるため、表縁パネルが表示パネルに接触しないように構成する必要がある。また、タッチパネルを備えた表示パネルの場合にも、表縁パネルがタッチパネルに接触しないように構成する必要がある。
【００１５】
そこで、上記のいずれかの構成により、表縁パネルと表示パネルとの間に所定の大きさの間隙を設けるようにすると、潤滑剤や潤滑性に優れた材料を用いることなく、表縁パネルに力が加えられた場合の擦れ音の発生を防止することができる。
【００１６】
請求項８記載の表示装置の製造方法は、第１面側に表示領域を有する表示パネルの周辺部分にフレームを固定する第１工程と、この第１工程の後に、ケースを表示パネルの第１面と相対する第２面側に配置し、ケースに対するフレームの位置を第１面に垂直な第１方向に変化させることが可能な第１仮固定状態に、ケースをフレームに仮固定する第２工程と、この第２工程の後に、表示領域に対応する窓を有する表縁パネルを、表示パネルの第１面側の縁部を覆うようにケースに取り付ける第３工程と、この第３工程の後に、フレームのケースに対する位置を第１方向に変化させることにより、表縁パネルの窓の縁部と表示パネルとの間に所定の大きさの間隙を形成するように調節する第４工程と、この第４工程の後に、第４工程により調節された状態が維持されるように、ケースをフレームに固定する第５工程とを備えている。
【００１７】
このような製造方法により、表縁パネルの窓の縁部と表示パネルとの間に所定の大きさの間隙が形成された表示装置を構成することができる。
【００１８】
請求項９記載のように、フレームに第１孔を形成し、ケースに第２孔を形成し、これらの第１孔および第２孔の少なくとも一方を、表示パネルの第１面に平行な第２方向よりも垂直な第１方向に長い形状を有するように形成すると、第２工程において、第１ネジを、その軸部が表示パネルの第１面に平行になるように第１孔および第２孔に配置し、第１ネジによりケースをフレームに所定範囲の強度で固定することにより、第１ネジが第１孔および第２孔の少なくとも一方において第１方向に移動することが可能な状態を第１仮固定状態として形成することができる。この場合、第５工程においては、第１ネジを締め付けることにより、ケースをフレームに固定する。
【００１９】
請求項１０記載の表示装置の製造方法は、第１面側に表示領域を有する表示パネルの周辺部分にフレームを固定する第１工程と、この第１工程の後に、ケースを表示パネルの第１面と相対する第２面側に配置し、ケースをフレームに固定する第２工程と、この第２工程の後に、表示領域に対応する窓を有する表縁パネルを、表示パネルの第１面側の縁部を覆うように配置し、ケースに対する表縁パネルの位置を第１面に垂直な第１方向に変化させることが可能な第２仮固定状態に、表縁パネルをケースに仮固定する第３工程と、この第３工程の後に、表縁パネルのケースに対する位置を第１方向に変化させることにより、表縁パネルの窓の縁部と表示パネルとの間に所定の大きさの間隙を形成するように調節する第４工程と、この第４工程の後に、第４工程により調節された状態が維持されるように、表縁パネルをケースに固定する第５工程とを備えている。
【００２０】
このような製造方法によっても、表縁パネルの窓の縁部と表示パネルとの間に所定の大きさの間隙が形成された表示装置を構成することができる。
【００２１】
請求項１１記載のように、ケースに第３孔を形成し、表縁パネルに第４孔を形成し、これらの第３孔および第４孔の少なくとも一方を、表示パネルの第１面に平行な第２方向よりも垂直な第１方向に長い形状を有するように形成すると、第３工程において、第２ネジを、その軸部が表示パネルの第１面に平行になるように第３孔および第４孔に配置し、第２ネジにより表縁パネルをケースに所定範囲の強度で固定することにより、第２ネジが第３孔および第４孔の少なくとも一方において第１方向に移動することが可能な状態を第２仮固定状態として形成することができる。この場合、第５工程においては、第２ネジを締め付けることにより、表縁パネルをケースに固定する。
【００２２】
また、請求項１２記載のように、第５工程が完了した後には、表縁パネルはフレームおよび表示パネルと非接触状態にあるように構成されているとよい。このように構成されていると、表縁パネルに力が加えられた場合でも擦れ音が発生しない。このようにして、潤滑剤や潤滑性に優れた材料を用いることなく、表縁パネルに力が加えられた場合でも擦れ音が発生しないように、表示パネルと表縁パネルの間に所定の大きさの間隙が形成された表示装置を構成することができる。
【００２３】
あるいは、請求項１３記載のように、表縁パネルがフレームにも固定される構成の場合には、第５工程が完了した後には、表縁パネルが表示パネルと非接触状態にあるように構成されているとよい。このような構成により、表縁パネルに力が加えられた場合の擦れ音の発生を防止することができる。この場合、第３工程においては、ケースおよび表縁パネルに対するフレームの位置を第１方向に変化させることが可能な第３仮固定状態に、表縁パネルをフレームに仮固定し、第５工程において、第４工程において調節された状態が維持されるように、表縁パネルをフレームに固定する。
【００２４】
請求項１４記載のように、フレームに第５孔を形成し、表縁パネルに第６孔を形成し、これらの第５孔および第６孔の少なくとも一方を、表示パネルの第１面に平行な第２方向よりも第１方向に長い形状を有するように形成すると、第３工程において、第３ネジを、その軸部が表示パネルの第１面に平行になるように第５孔および第６孔に配置し、第３ネジによりケースをフレームに所定範囲の強度で固定することにより、第１ネジが第１孔および第２孔の少なくとも一方において第１方向に移動することが可能であり、かつ、第３ネジが第５孔と第６孔の少なくとも一方において第１方向に移動することが可能な状態を第３仮固定状態として形成することができる。この場合、第５工程において、第３ネジを締め付けることにより、表縁パネルをフレームに固定する。
【００２５】
また、第４工程においては、請求項１５記載のように、表縁パネルの窓の縁部と表示パネルとの間に所定の大きさのスペーサを配置して、表縁パネルの窓の縁部と表示パネルとによりスペーサが挟まれる状態になるように、フレームを第１方向に移動させ、その後、スペーサを抜き取ることにより、表縁パネルの窓の縁部と表示パネルとの間に所定の大きさの間隙を形成することができる。
【００２６】
あるいは、請求項１６記載のように、表縁パネルの窓の縁部と表示パネルとの間の間隙を光学的に測定し、この間隙が所定の大きさとなるところまでフレームを第１方向に移動させることによっても、表縁パネルの窓の縁部と表示パネルとの間に所定の大きさの間隙を形成することができる。
【００２７】
【発明の実施の形態】
（第１実施形態）
本発明の第１実施形態に係る表示装置は、液晶パネルを有する液晶表示装置であり、例えば車両に搭載されて、マルチインフォメーションシステムのディスプレイとして、地図情報や車両情報などを表示するために用いられる。
【００２８】
図１（ａ）は液晶表示装置１の外観を示す正面図であり、図１（ｂ）は（ａ）における線Ｉ−Ｉに沿った断面図である。液晶表示装置１は、表示パネル２と、この表示パネル２をその周辺部分において保持する金属フレーム３と、表示パネル２の背面（第２面）側に配設されてフレーム３に取り付けられている金属製ケース４と、表示パネル２の正面（第１面）側において表示領域を取り囲むようにケース４に取り付けられている樹脂製の表縁パネル５とを備えている。
【００２９】
表示パネル２は、薄膜で作られたトランジスタを用いたＴＦＴ型の液晶パネル６と、液晶パネル６の正面側に設けられた抵抗膜式タッチパネル７と、液晶パネル６の背面側に設けられた制御回路基板８とを備えており、これらはフレーム３によって一体に保持されている。表示パネル２は、その正面（第１面）側に１１０×１７０ｍｍほどの表示領域を有している。
【００３０】
図２はフレーム３の外観を示している。フレーム３は、液晶パネル６およびタッチパネル７を、これらの周囲を取り囲むようにして保持しており、その背面に制御回路基板８を保持している。フレーム３の両側面には、それぞれ２つの矩形の舌部２１が形成されており、これらの舌部２１には、ケース４を固定するための円形孔（第１孔）２２が形成されている。
【００３１】
図３はケース４の外観を示している。ケース４は、表示パネル２の背面（第２面）側に配置される背面プレート部分４１とその両側の側面プレート４２とからなり、側面プレート４２には、表縁パネル５を取り付けるための円形孔４３がそれぞれ２つずつ形成されている。さらに、両側面４２の内側に、フレーム３の幅に対応した一対の突出部４４が両側面４２に平行に設けられており、これらの突出部４４の間の背面プレート４１部分には、表示パネル２の大きさにほぼ対応する大きな穴が開いている。
【００３２】
突出部４４にはそれぞれ２つの舌部４５が設けられており、これらの舌部４５にそれぞれ楕円形の孔（第２孔）４６が形成されている。
【００３３】
これらの楕円形の孔４６は、それぞれフレーム３の円形孔２２に対応して形成されており、表示パネル２の表示面に垂直な方向（第１方向）に長径を有している。また、これらの楕円形の孔４６に対応する側面プレート４２部分には、図３に示すように、切り欠き４７が形成されている。
【００３４】
図４は表縁パネル５の外観を示している。表縁パネル５は、表示パネル２の表示領域に対応した窓５１が形成されている正面側部分５２と、この正面側部分５２を取り囲むように形成されている周辺部分からなる。周辺部分の両側面５３には、それぞれ２つずつ円形孔５５が形成されている。
【００３５】
窓５１の縁部には、図１（ｂ）に示すように、正面側部分５２から表示パネル２表面のタッチパネル７に向かって傾斜する傾斜部５４が設けられており、傾斜部５４は、その端部分において、タッチパネル７との間に所定の大きさ（例えば０．３ｍｍ）の間隙を形成している。さらに、傾斜部５４から表示パネル２に向かって、両側面５３に平行にリブ（補強部）５５が形成されており、これらのリブ５５はフレーム３との間に例えば０．２ｍｍほどの間隙を形成している。ユーザにより表縁パネル５が正面側から過大な力で押された場合でも、このリブ５５がフレーム３に押し付けられることにより、傾斜部５４の端部がタッチパネル７に接触することを防止できる。
【００３６】
液晶表示装置１は、つぎのような手順により組み立てられる。まず、第１工程において、フレーム３により、液晶パネル６、タッチパネル７、制御回路基板８を一体に保持して、これにより表示パネル２を構成する。
【００３７】
つぎに、第２工程において、表示パネル２のフレーム部分３にケース４を仮固定する。図５（ａ）はフレーム３にケース４を取り付ける前の状態を示しており、図５（ｂ）はフレーム３にケース４を取り付けた後の状態を示している。ケース４は、その舌部４５がフレーム３の舌部２１に外側から重ねられて、これらの舌部４５、２１の間を孔２２、４６にネジ（第１ネジ）１０を用いて締め付けることにより、フレーム３に取り付けられる。
【００３８】
但し、このとき、ネジ１０を完全に締め付けることなく、ネジ１０がケース４の楕円形孔４６の中で長径方向に動くことが可能な状態（第１仮固定状態）にしておく。このような第１仮固定状態においては、図５（ｂ）に矢印ａで示すように、フレーム３およびこれに保持されている表示パネル２のケース４に対する位置を、表示面に垂直な方向（第１方向）に調整することが可能である。また、ネジ１０の締め付けは、ケース４の側面プレート４２に形成されている切り欠き４７部分から工具を用いて行うことができる。
【００３９】
つぎに、第３工程において、ケース４に表縁パネル５を取り付ける。図６（ａ）はケース４に表縁パネル５を取り付ける前の状態を示しており、図６（ｂ）はケース４に表縁パネル５を取り付けた後の状態を示している。表縁パネル５は、その両側面部分５３が、ケース４の側面プレート４２に外側から重ねられて、これらの部分５３、４２の間を孔５５、４３にネジ（第２ネジ）１５を用いて締め付けることにより、ケース４に取り付けられる。
【００４０】
その後、第４工程において、表縁パネル５の傾斜部５４とタッチパネル７との間に０．３ｍｍの隙間を確保するための樹脂製のスペーサ（図示せず）を配置して、このスペーサが傾斜部５４の端部とタッチパネル７によって挟まれるように、ケース４に対するフレーム３の位置を表示面に垂直な方向（第１方向）に調節する。
【００４１】
第５工程において、第４工程において調節した状態が維持されるように、ケース４の側面プレート４２の切り欠き部分４７から工具を用いて、ケース４をフレーム３に仮固定している第１ネジ１０を締め付けることにより、フレーム３がケース４に対して動くことがないように本固定する。その後、表縁パネル５の正面側からスペーサを抜き取り、液晶表示装置１の組み立ては完了する。
【００４２】
本実施形態の液晶表示装置においては、上記のようにケース４に楕円形の孔４６を設けることにより、ケース４をフレーム３に仮固定することが可能な構成とし、ケース４に表縁パネル５を固定してから、フレーム３のケース４に対する位置を調節することにより、表示パネル２と表縁パネル５の間に所定の大きさの間隙を形成する。このような構成によると、表縁パネル５は、ケース４と固定部分およびその周辺においてのみ接触しており、フレーム３および表示パネル２とは非接触状態にあるため、表縁パネル５に力が加えられても擦れ音は発生しない。
【００４３】
本実施形態の液晶表示装置は、その表示パネル２の表面にタッチパネル７を備えているため、表縁パネル５がタッチパネル７に接触しないように構成する必要があるが、上記構成によると、潤滑剤や潤滑性に優れた材料を用いることなく、表縁パネル５に力が加えられた場合でも擦れ音が発生しないように、タッチパネル７と表縁パネル５の間に所定の大きさの間隙を形成することができる。
【００４４】
（他の実施形態）
本発明は上記実施形態に限定されることなく、つぎのように種々の変形が可能である。
【００４５】
上記実施形態においては、液晶表示装置１の組み立て時に、表縁パネル５と表示パネル２の間の間隙を所定の大きさに調節するためにスペーサを用いたが、このようなスペーサを用いず、表縁パネル５と表示パネル２の間の間隙を光学的に測定して所定の大きさに調節するようにしてもよい。
【００４６】
上記実施形態では、ケース４の舌部４５に形成される孔４６を楕円形とすることにより、仮固定状態においてフレーム３のケース４に対する位置を調節可能に構成したが、孔４６の形状は楕円形に限らず、ネジ１０が表示パネル２の表示面に対して垂直な方向（第１方向）に移動可能であるように、表示面に平行な方向（第２方向）よりも第１方向に長い形状であればよく、例えば長方形などであってもよい。また、ケース４の舌部４５に形成される孔４６は円形とし、代わりにフレーム３の舌部２１に形成される孔２１を楕円形としてもよく、あるいは、ケース４とフレーム３の両方に楕円形の孔を設けるようにしてもよい。また、楕円形の孔を形成する代わりに切り欠きを形成してもよい。
【００４７】
上記実施形態においては、表縁パネル５がケース４にのみ固定されており、フレーム３とは接触していない構成であったが、図７に示すように、表縁パネル８０をケース４とフレーム３の両方に固定するようにしてもよい。
【００４８】
この場合、フレーム３の両側面に図示していない円形孔（第５孔）が形成され、さらに、表縁パネル８０には、その両側面８１に平行に一対の突出部８２が設けられて、これら突出部８２に図示していない楕円形の孔（第６孔）が形成される。第６孔は、表示面に垂直な方向（第１方向）に長径を有するように形成される。また、表縁パネル８０の両側面８１には、突出部８２の第６孔に対応した部分に、切り欠きまたは孔（図示せず）が形成される。
【００４９】
この場合の液晶表示装置１の組み立てはつぎのような手順で行われる。まず、第１工程および第２工程が上記実施形態と同様に行われた後、第３工程において、表縁パネル８０をケース４に固定し、さらに、第５孔および第６孔に図示していないネジ（第３ネジ）を用いて表縁パネル８０をフレーム３に仮固定する。この仮固定により、第３ネジが第６孔の中で長径方向に動くことが可能な状態（第３仮固定状態）が形成される。この第３仮固定状態においては、ケース４がフレーム３に仮固定されており、表縁パネル８０がフレーム３には仮固定され、ケース４には本固定されていることにより、ケース４および表縁パネル８０に対するフレーム３の位置を第１方向に変化させることが可能になっている。第４工程において、表縁パネル８０の傾斜部８３とタッチパネル７の間の間隙を所定の大きさに調節した後、第５工程において、ケース４をフレーム３に本固定すると共に、表縁パネル８０をフレーム３に本固定する。
【００５０】
このようにして、表縁パネル８０を傾斜部８３に隣接した部分でフレーム３に固定する構成にすると、表縁パネル８０が押された場合に傾斜部８３の端部がタッチパネル７に接触することを防止できるため、上記実施形態におけるような補強部（リブ）５５を設ける必要がない。また、表縁パネル８０は、ケース４およびフレーム３と固定部分とその周辺においてのみ接触しているため、表縁パネル８０に力が加えられた場合でも、擦れ音が発生することがない。
【００５１】
また、表縁パネル５、８０が剛性に優れており、表縁パネル５、８０に力が加えられた場合でも傾斜部５４、８３の端部がタッチパネル７に接触する恐れがない場合は、表縁パネル５、８０をフレーム３に固定せず、またリブ５５も設けない構成としてもよい。
【００５２】
上記実施形態においては、ケース４をフレーム３に仮固定することができる構成であったが、代わりに、表縁パネル５をケース４に仮固定することができる構成であってもよい。
【００５３】
この場合、ケース４の舌部４５には楕円形孔４６の代わりに円形孔が形成され、第２工程では、これらの円形孔とフレーム３の円形孔２２の間を第１ネジ１０で締め付けることにより、ケース４がフレーム３に固定される。一方、ケース４の側面プレート４２には、円形孔４３の代わりに図示しない楕円形孔（第３孔）が形成され、第３工程では、これらの楕円形孔と表縁パネル５の円形孔（第４孔）５５の間を第２ネジ１５で緩く締めることにより、表縁パネル５がケース４に仮固定される。第４工程において、ケース４に対する表縁パネル５の位置を表示面に垂直な方向（第１方向）に調節することにより、表縁パネル５の傾斜部５４とタッチパネル７との間の間隙が所定の大きさに調節され、その後第５工程において、第２ネジ１５を締め付けることにより、表縁パネル５をケース４に本固定する。
【００５４】
このような構成によっても、表縁パネル５に力が加えられた場合でも擦れ音が発生しないように、タッチパネル７と表縁パネル５の間に所定の大きさの間隙を形成することができる。
【００５５】
上記実施形態においては、タッチパネル７を備えた液晶表示装置に本発明を適用したが、タッチパネル７を備えていない液晶表示装置に本発明を適用することもできる。上記のように、液晶表示装置において、表縁パネルが液晶表示パネルに接触していると、波打ち現象などの表示不良を発生する恐れがあるため、本発明の構成により、表縁パネルと液晶表示パネルの間に隙間を設けると、このような表示不良の発生を防止することができる。
【００５６】
また、上記実施形態においては液晶表示装置に本発明を適用したが、例えばエレクトロルミネセントディスプレイ（ＥＬＤ）やプラズマディスプレイ（ＰＤＰ）など、液晶表示装置以外の表示装置に対しても本発明を適用することができ、特に表示領域上にタッチパネルを備えている場合に本発明を適用すると有効である。
【図面の簡単な説明】
【図１】（ａ）は本発明の第１実施形態に係る液晶表示装置の外観を示す正面図であり、（ｂ）は（ａ）における線Ｉ−Ｉに沿った断面図である。
【図２】図１（ｂ）に示すフレームの外観を示す斜視図である。
【図３】図１（ｂ）に示すケースの外観を示す斜視図である。
【図４】図１（ｂ）に示す表縁パネルの外観を示す斜視図である。
【図５】（ａ）はフレームにケースを取り付ける前の状態を示す斜視図であり、（ｂ）はフレームにケースを取り付けた後の状態を示す斜視図である。
【図６】（ａ）は表縁パネルをケースに取り付ける前の状態を示す斜視図であり、（ｂ）は表縁パネルをケースに取り付けた後の状態を示す斜視図である。
【図７】第１実施形態の一変形例の液晶表示装置を示す断面図である。
【図８】（ａ）は従来の液晶表示装置の外観を示す正面図であり、（ｂ）は（ａ）における線ＶＩＩＩ−ＶＩＩＩに沿った断面図である。
【符号の説明】
１  液晶表示装置
２  表示パネル
３  フレーム
４  ケース
５  表縁パネル
６  液晶パネル
７  タッチパネル
１０  ネジ  （第１ネジ）
１５  ネジ  （第２ネジ）
２２  フレームの円形孔  （第１孔）
４２  ケースの側面プレート
４５  ケースの突出部
４６  ケースの楕円形孔  （第２孔）
４７  ケースに形成された切り欠き
５１  表縁パネルの窓
５５  表縁パネルの円形孔５５  （第４孔）
６０  表縁パネルと表示パネルの間の間隙
【図１】
2004309663.tif 000003
【図２】
2004309663.tif 000004
【図３】
2004309663.tif 000005
【図４】
2004309663.tif 000006
【図５】
2004309663.tif 000007
【図６】
2004309663.tif 000008
【図７】
2004309663.tif 000009
【図８】
2004309663.tif 000010